(57)【要約】      （修正有）【課題】永久磁石の磁力（反発力）を利用することで、回転板を回転させる回転体を提供する。【解決手段】回転板９、梃子、梃子保持板５で構成し、回転板９は、周辺に磁石片保持板を介して、磁石片１３をほぼ等角度に設置させる。梃子は、作用点が二股の構造をしており、その先端部に磁石片３を設ける。力点にも磁石片を設ける。梃子保持板５は梃子の動きを制御するために、ばね、上制御板、下制御板より構成されており、梃子を組み付けると、梃子はばね力により、上制御板の位置で静止する。梃子の力点部に磁力が働くと梃子の作用点は下向きに動き、下制御板の位置で静止する。この時点で、回転板９の磁石片１３と固定枠に取り付けられた梃子保持板５を介して、梃子の磁石片３が近接することになり、回転板は反力により回転することになる。【選択図】図４
2012161230.tif 000002
【特許請求の範囲】
【請求項１】
固定枠に取り付けられた梃子の作用点、力点には２つの役目をする磁石片が取り付けられている。回転板にも周辺に取り付けられた磁石片保持板に取り付けられた磁石片と周辺に取り付けられた磁石片は２つの役目をするものである。
１つ目の役割は、回転力を得るための役目をする磁石片である。もう１つは梃子を動かす役目をする磁石片が取り付けてある。
固定枠には梃子を取り付け、その梃子はばねによって制御されるものである。梃子は作用点、力点に磁石片を設けてある。力点の磁石片が磁力により梃子を動かし、ばねがそれを戻そうと働くものである。
回転板は回転軸、周辺に設けられた磁石片（梃子の作用点に対応するもの）とそれらの中点に設けられた磁石片（梃子の力点に対応するもの）より構成される。
回転板が回転することにより、梃子の力点の磁石片は回転板の周辺に設けられた磁石片と接近することになり、梃子の力点は反発力により押し上げられる。その反作用で作用点は押し下げられて回転板に近接することになる。その時に回転板に設置されている磁石片との間に反発力が発生して、回転板は回転をすることになる。
設置する回転板の磁石片の数は、固定枠に取り付けられた梃子の大きさに制限されるが、複数個設置するものである。
【発明の詳細な説明】
【技術分野】
【０００１】  本発明は、最近の永久磁石の技術革新により磁力が非常に改善されてきた。永久磁石のこの磁力（反発力）を利用することで、回転板を回転させる回転体に関するものである。
【背景技術】
【０００２】  従来、回転体は、電磁石による回転体が主であり、永久磁石を利用した回転体は実用化されていない。
【先行技術文献】
【０００３】  特になし
【発明の概要】
【発明が解決しようとする課題】
【０００４】  従来、回転体は電磁石が主である。なぜなら、永久磁石を回転体に使用するためには、次のような欠陥があり、利用できなかった。
１）磁力が弱い。
２）磁極の変化が容易でない。
３）回転しても少しだけで、１回転にはならない。
【課題を解決するための手段】
【０００５】  本発明は、磁石の磁力が改善されてきたので、これを考慮して、発明したものである。
１）    磁力を増加させるために、磁石片を数か所に設置できる装置とした。
２）    磁極の変化は梃子、ばね力および磁力を応用することにした。
３）    回転力が不足する場合は、複数連結することにした。
本発明の主たる構成物は次の３つで、回転板、梃子、梃子保持板である。
回転板には、円周周辺に磁石片保持板をほぼ等角度に設け、回転板より張り出した構造としてその先端部に磁石片１個ずつ計２個を設けている。この磁石片は固定枠からの磁石片の接近により回転力を得るためのものである。さらに回転板の円周部分に、先の磁石片保持板のほぼ中間点に磁石片１個を設ける。これは固定枠からの梃子を動かす力になるものである。
梃子は、作用点が二股の構造をしており、その先端部に２個の磁石片を設けている。力点にも磁石片１個を設け、この磁石片は先の回転板の周辺に設けた磁石片と近接することにより反発力を得て上がり、梃子の回転軸を介して、反対側の作用点の磁石片を押し下げる役目をする。
梃子保持板は梃子の動きを制御するために、ばね、上制御板、下制御板より構成されており、梃子を組み付けると、梃子はばね力により、上制御板の位置で静止することになる。この状態では、梃子に取り付けられた磁石片は何も回転板の磁石片に影響をおよぼさない。回転板を回転させると、円周に設けた磁石片が梃子の力点部の磁石片と接近することで、相互に反発しあうため、梃子が動く。その反動で、梃子の作用点は下向きに動かされ、下制御板の位置で静止することになる。この状態で、回転板の磁石片保持板に取り付けたこ磁石片との距離が最接近するようにしてあり、相互の反発力により、、回転板は回転することになる。
【発明の効果】
【０００６】  以上に述べたように本発明は、回転板９の周辺に取り付けられた磁石片Ｍ３  １２が回転板９を回転させることで、固定枠１４に取り付けられた梃子保持板５を介して、梃子１付きの磁石片Ｍ２  ４に接近することで双方が反発しあう。梃子１付きの反対側の磁石片Ｍ１  ３を押し下げて、回転板３付きの磁石片Ｍ４  １３に近接することになる。相互の反発力により、回転板９が回転することになる。本発明は回転板と固定枠には接点がなく抵抗も最少となる。また、磁石片の取り付け数も回転板の寸法に合わせて数を増やすことも可能となり、回転も容易に確保できる。位相をずらすことにより、数台の連結をすれば、馬力の大きい動力としても利用可能である。
このような永久磁石を応用した回転体は、特別なエネルギーを必要としないため、地球環境改善のために、世界中に貢献できる製品である。家庭の発電装置、自動車の動力源、船の動力などに利用ができ、世界の人々に役立つ製品として提供することができることになる。
【図面の簡単な説明】
【０００７】  図面は説明が簡単な反発磁石４極を代表図として表わしている。
【図１】本発明の固定枠に取り付けられる梃子の図面である。
【図２】本発明の固定枠に取り付けられた梃子保持板と梃子の構成図面である。
【図３】本発明の回転板の図面である。
【図４】本発明の全体図である。
【発明を実施するための形態】
【０００８】  以下、本発明の実施の形態を図面に従って説明する。
図１は梃子１を示しており、梃子の回転軸２を挟んで、作用点側には、磁石片Ｍ１  ３が取り付けられている。力点側にも磁石片Ｍ２  ４が取り付けられている。
（Ａ）は作用点側から見た図、（Ｂ）は力点側から見た図を示している。
図２は固定枠１４に取り付けられる梃子保持板５と梃子１を組み合わせた図で、ばね８により梃子１は上制御板６に押しつけられている。下制御板７は梃子１がこの位置以下にならないためのものである。
図３は回転板９の側面図と断面図である。周辺に磁石片保持板１１が、４等分点に設けられ、それに磁石片Ｍ４  １３が固定されている。この磁石片１３は梃子１の磁石片Ｍ１  ３に対するものである。それらの中央に磁石片Ｍ３  １２が設けてある。これは梃子１の磁石片Ｍ２  ４に対するものである。
図４は全体図で、固定枠１４に梃子保持板５が固定されて、梃子１の磁石片Ｍ１  ３、磁石片Ｍ２  ４と回転板９の磁石片Ｍ３  １２、磁石片Ｍ４  １３が相互に反発している状態を示している。
【符号の説明】
【０００９】  １  梃子                  ２  梃子の回転軸                ３  磁石片Ｍ１
４  磁石片Ｍ２            ５  梃子保持板                  ６  上制御板
７  下制御板              ８  ばね                        ９  回転板
１０  回転軸              １１  磁石片保持板              １２  磁石片Ｍ３
１３  磁石片Ｍ４          １４  固定枠
【図１】
2012161230.tif 000003
【図２】
2012161230.tif 000004
【図３】
2012161230.tif 000005
【図４】
2012161230.tif 000006